(57)【要約】少なくとも一つのキャリアを具備したシステムでチャンネル品質情報（ＣＱＩ）をアクセスネットワーク（ＡＮ）に送信する方法が開示される。特に、この方法は、各々がインジケータを含む少なくとも一つのパケットをＡＮから受信するステップとして、前記インジケータがバッファーレベル情報を提供する受信ステップと、前記バッファーレベル情報がＡＮに送信されるパケットがないことを示す場合、少なくとも一つの非アンカーキャリアのＣＱＩを前記ＡＮに伝送することを中止させるステップと、を含む。【選択図】図５
2009509393.tif 000002
【特許請求の範囲】
【請求項１】
少なくとも一つのキャリアを具備したシステムにおけるチャンネル品質情報（ＣＱＩ）をアクセスネットワーク（ＡＮ）に送信する方法であって’
各々がインジケータを含む少なくとも一つのパケットをＡＮから受信するステップとして、前記インジケータがバッファーレベル情報を提供する受信ステップと、
前記バッファーレベル情報がアクセス端末（ＡＮ）に送信されるパケットがその以上はないことを示す場合、少なくとも一つの非アンカーキャリアのＣＱＩを前記ＡＮに伝送することを中止させるステップと、を含むことを特徴とする送信方法。
【請求項２】
前記バッファーレベル情報は、１ビットで表示されることを特徴とする請求項１に記載の送信方法。
【請求項３】
前記１ビットは、前記ＡＴに送信されるパケットがその以上はないことを示すか、または前記ＡＴに送信されるパケットがさらにあることを示すことを特徴とする請求項２に記載の送信方法。
【請求項４】
前記バッファーレベル情報は、少なくとも２ビットで表示されることを特徴とする請求項１に記載の送信方法。
【請求項５】
前記少なくとも２ビットは、ビットが表示する数に対応するバッファーレベルの数を示することを特徴とする請求項４に記載の送信方法。
【請求項６】
使用されるＣＱＩキャリアフィードバックチャンネルの数は、バッファーレベルの数を基礎として前記ＡＴで判定されることを特徴とする請求項５に記載の送信方法。
【請求項７】
前記インジケータは、前記ＡＴに対するバッファーレベルを示す最終パケットインジケータ（ＬＰＩ）であることを特徴とする請求項１に記載の送信方法。
【請求項８】
前記バッファーレベルは、前記ＡＴに送信されるパケットがその以上はないか、または前記ＡＴに送信されるパケットがさらに存在するかを示すことを特徴とする請求項７に記載の送信方法。
【請求項９】
前記ＬＰＩは、マルチユーザーパケット内のパケットのヘッダー部に含まれることを特徴とする請求項７に記載の送信方法。
【請求項１０】
前記ＬＰＩは、マルチユーザーパケット内のペイロードの末尾部分に添付されることを特徴とする請求項７に記載の送信方法。
【請求項１１】
前記ＬＰＩは、ビットマップフォーマットを有することを特徴とする請求項７に記載の送信方法。
【請求項１２】
前記ＬＰＩは、コマンドであることを特徴とする請求項７に記載の送信方法。
【請求項１３】
前記ＣＱＩは、前記ＡＴにより測定された信号対雑音比を表示することを特徴とする請求項１に記載の送信方法。
【請求項１４】
前記ＣＱＩは、データレート制御（ＤＲＣ）情報を含むことを特徴とする請求項１に記載の送信方法。
【請求項１５】
前記非アンカーキャリアは、データ送信のために使用されるキャリアであることを特徴とする請求項１に記載の送信方法。
【請求項１６】
少なくとも一つのキャリアを具備したシステムで情報をアクセスネットワーク（ＡＮ）に送信する方法であって、
ＡＣＫ信号を前記ＡＮから受信されたパケットに送信するステップと、
前記ＡＣＫ信号を前記ＡＮに送信する時にタイマーを活性化するステップと、
前記タイマーが満了された場合、少なくとも一つの非アンカーキャリアのチャンネル品質情報（ＣＱＩ）の送信を中止させるステップと、を含むことを特徴とする送信方法。
【請求項１７】
前記非アンカーキャリアは、データ送信のために使用されるキャリアであることを特徴とする請求項１６に記載の送信方法。
【請求項１８】
前記ＣＱＩは、データレート制御（ＤＲＣ）を含むことを特徴とする請求項１６に記載の送信方法。
【請求項１９】
各々がチャンネル品質情報（ＣＱＩ）の送信を中止する少なくとも一つの非アンカーキャリアにより表示される少なくとも一つのキャリアにシステム内のパケットを送信する方法であって、
少なくとも一つのパケットがアクセスネットワーク（ＡＮ）内のアンカーキャリア上でバッファリングされた場合、前記アンカーキャリア上で、前記ＡＮから少なくとも一つのパケット及びインジケータを送信するステップと、
少なくとも一つのパケットが前記ＡＮ内の非アンカーキャリア上でバッファリングされた場合、前記アンカーキャリア及び非アンカーキャリアの中で少なくとも一つの上で、前記ＡＮから少なくとも一つのパケット及びインジケータを送信するステップと、を含むことを特徴とするパケット送信方法。
【請求項２０】
前記アンカーキャリアは、制御情報送信のために利用されるチャンネルであることを特徴とする請求項１９に記載のパケット送信方法。
【請求項２１】
前記非アンカーキャリアは、データ情報を送信するために利用されるキャリアであることを特徴とする請求項１９に記載のパケット送信方法。
【請求項２２】
‘０’に設定された前記インジケータは、前記非アンカーキャリアが前記ＣＱＩの送信中止を維持することを示し、‘１’に設定された前記インジケータは、前記ＣＱＩの送信を開始するように前記非アンカーキャリアの活性化を示すことを特徴とする請求項１９に記載のパケット送信方法。
【請求項２３】
少なくとも一つのパケットが非アンカーキャリア上でバッファリングされ、前記ＣＱＩが前記非アンカーキャリアに対して報告される場合、前記ＡＮは、前記非アンカーキャリア上で少なくとも一つのパケットを送信することを特徴とする請求項１９に記載のパケット送信方法。
【請求項２４】
少なくとも一つのパケットが前記非アンカーキャリア上でバッファリングされ、前記ＣＱＩが前記非アンカーキャリアに対して報告されない場合、前記ＡＮは、‘１’に設定された前記インジケータを有する前記アンカーキャリア上で少なくとも一つのパケットを送信することを特徴とする請求項１９に記載のパケット送信方法。
【請求項２５】
‘１’に設定された前記インジケータは、前記ＣＱＩの送信が開始するように前記非アンカーキャリアを活性化することを表示することを特徴とする請求項１９に記載のパケット送信方法。
【請求項２６】
少なくとも一つのキャリアを具備したシステム内でアクセスネットワーク（ＡＮ）に情報を送信する方法であって、
各々がバッファーレベル情報を提供するインジケータを含む少なくとも一つのパケットを少なくもと一つのキャリアで前記ＡＮから受信するステップと、
ＡＣＫ信号を前記ＡＮから受信されたパケットに送信するステップと、
前記ＡＣＫ信号を少なくともキャリア上で送信する時タイマーを活性化するステップと、
前記バッファーレベル情報が、アクセス端末（ＡＴ）に送信されるパケットがその以上はないことを示すか、前記タイマーが満了した場合、少なくとも一つのキャリア上で少なくとも一つの非アンカーキャリアのＣＱＩを前記ＡＮに送信することを中止させるステップと、を含むことを特徴とする情報送信方法。
【発明の詳細な説明】
【技術分野】
【０００１】
本発明は、シグナリングオーバーヘッドを低減させる方法に関し、特に、無線通信システムにおけるシグナリングオーバーヘッド及び電力消費を低減させる方法に関する。
【背景技術】
【０００２】
多重アクセス通信システムにおいて、ユーザーの間の通信は、アクセスネットワーク（ＡＮ：ａｃｃｅｓｓ−ｎｅｔｗｏｒｋ）と呼ばれる一つ以上の基地局を介して実行される。ここで、多重アクセスは同時送信及び／または受信を言う。従来、時分割多重アクセス（ＴＤＭＡ：ｔｉｍｅ  ｄｉｖｉｓｉｏｎ  ｍｕｌｔｉｐｌｅ  ａｃｃｅｓｓ）、周波数分割多重アクセス（ＦＤＭＡ：ｆｒｅｑｕｅｎｃｙ  ｄｉｖｉｓｉｏｎ  ｍｕｌｔｉｐｌｅ  ａｃｃｅｓｓ）、振幅変調多重アクセス及びコード分割多重アクセス（ＣＤＭＡ：ｃｏｄｅ  ｄｉｖｉｓｉｏｎ  ｍｕｌｔｉｐｌｅ  ａｃｃｅｓｓ）のように、  多くの多重アクセス技術が公知されている。
【０００３】
一般的に、多重アクセス通信システムは、無線または有線であり、音声及び／またはデータを伝送することができる。全ての音声及びデータを伝送する通信システムの例には、ＩＳ−９５標準によるシステム（例えば、ＣＤＭＡ２０００）及び３ＧＰＰ２（３ｒｄ  Ｇｅｎｅｒａｔｉｏｎ  Ｐｒｏｊｅｃｔ２）によるシステムがある。
【０００４】
ＣＤＭＡ２０００の一部として、デジタル無線標準１ｘＥＶ−ＤＯは、１ｘＥｖｏｌｕｔｉｏｎデータだけを支持するか、エボリューションデータ最適化を支持する。１ｘＥＶ−ＤＯは、順方向で４．９１５２Ｍｂｐｓまでのエアインターフェース速度と、逆方向で１。８４３２Ｍｂｐｓまでの速度を有する非常に速いデータレートを提供する。１ｘＥＶ−ＤＯ  Ｒｅｖｉｓｉｏｎ  ０は音声ではないアドレスデータのみを支援することができるが、現在は、１ｘＥＶ−ＤＯ  Ｒｅｖｉｓｉｏｎ  Ａ及びＢが音声を支援する。１ｘＥＶ−ＤＯのシステム構造は、図１に例示する。さらに、図２及び図３は、１ｘＥＶ−ＤＯデフォルトプロトコルアキテクチャー（ｄｅｆａｕｌｔ  ｐｒｏｔｏｃｏｌ  ａｒｃｈｉｔｅｃｔｕｒｅ）及び１ｘＥＶ−ＤＯ非デフォルト（ｎｏｎ−ｄｅｆａｕｌｔ）プロトコルアキテクチャーを各々例示する。
【０００５】
従来システムにおいて、オーバーヘッドを構成する信号は規則的な基準に送受信される。不必要な信号を低減させて、システムは一層効率的に動作でき、各端末で電力消耗を減少させる。
【発明の開示】
【発明が解決しようとする課題】
【０００６】
したがって、本発明は上述したような従来技術の問題点を解決するためになされたもので、その目的は、チャンネル品質情報（ＣＱＩ；Ｃｈａｎｎｅｌ  Ｑｕａｌｉｔｙ  Ｉｎｆｏｒｍａｔｉｏｎ）を多重キャリアシステム内のＡＮ（Ａｃｃｅｓｓ  Ｎｅｔｗｏｒｋ）に送信する方法を提供することにある。
【０００７】
本発明の他の目的は、情報を多重キャリアシステム内のＡＮに送信する方法を提供することにある。
【０００８】
本発明のまた他の目的は、各々がＣＱＩの送信を中止させる少なくとも一つの非アンカーキャリア（ｎｏｎ−ａｎｃｈｏｒ  ｃａｒｒｉｅｒ）を具備した多重キャリアシステムにパケットを送信する方法を提供することにある。
【０００９】
本発明に係る前述した課題を解決するための手段の説明と後述する実施形態の説明は、例示であり、説明目的のものであり、本発明のさらなる説明を提供することを意図していることを理解すべきである。
【課題を解決するための手段】
【００１０】
本発明の目的を達成するための本発明によるＣＱＩを多重キャリア内のＡＮに送信する方法は、各々がインジケータ（ｉｎｄｉｃａｔｏｒ）を含む少なくとも一つのパケットをＡＮから受信するステップを含み、インジケータは、バッファーレベル情報を提供し、バッファーレベル情報がアクセス端末（ＡＴ：Ａｃｃｅｓｓ  Ｔｅｒｍｉｎａｌ）に送信されるその以上のパケットがないことを示す場合、少なくとも一つの非アンカーキャリアのＣＱＩをＡＮに送信することを中止する。
【００１１】
本発明の他の様態において、情報を多重キャリアシステム内のＡＮに送信する方法は、ＡＣＫ（Ａｃｋｎｏｗｌｅｄｇｅｍｅｎｔ）信号をＡＮから受信されたパケットに送信するステップと、ＡＣＫ信号をＡＮに送信する時タイマーを起動するステップと、タイマーが終了された場合、少なくとも一つの非アンカーキャリアのＣＱＩ情報の送信を中止させるステップと、を含む。
【００１２】
本発明のまた他の様態において、各々がＣＱＩの送信を中止させる少なくとも一つの非アンカーキャリアを具備した多重キャリアシステムにおけるパケットを送信する方法は、少なくとも一つのパケットがＡＮ内のアンカーキャリア上でバッファリングされた場合、少なくとも一つのパケット及びインジケータをアンカーキャリア上のＡＮから送信するステップと、少なくとも一つのパケットがＡＮ内の非アンカーキャリア上でバッファリングされた場合、少なくとも一つのパケット及びインジケータをアンカーキャリア及び非アンカーキャリアの中でいずれの一つのＡＮから送信するステップと、を含む。ここで、インジケータは、非アンカーキャリアに対しては‘０’に設定できるので、ＣＱＩの送信中止を維持することができるか、または非アンカーキャリアに対しては‘１’に設定できるので、ＣＱＩ送信を開始する。
【００１３】
本発明のまた他の様態において、少なくとも一つのキャリアを具備したシステム内のＡＮに情報を送信する方法は、各々がバッファーレベル情報を提供するインジケータを含む少なくとも一つのパケットを受信するステップと、ＡＣＫ信号をＡＮから受信されたパケットに送信するステップと、ＡＣＫ信号を少なくとも一つのキャリアに送信する時タイマーを起動するステップと、バッファーレベル情報がＡＴ（Ａｃｃｅｓｓ  Ｔｅｒｍｉｎａｌ）に送信されるその以上のパケットがないと指示する場合、またはタイマーが終了した場合、少なくとも一つの非アンカーキャリアのＣＱＩ情報を少なくとも一つのキャリア上のＡＮに送信することを中止させるステップと、を含む。
【発明を実施するための最良の形態】
【００１４】
以下、本発明の好ましい実施の形態について、添付図面を参照しつつ詳細に説明する。なお、説明において、同一な図面参照符号は、他の図面でも同一な要素に使用される。
【００１５】
単一キャリアシステム傾向の現在システムでは、収容可能な量のオーバーヘッド及び電力消耗が付加される。したがって、多重キャリアシステムでは、端末当りより大きいオーバーヘッド及び電力消耗の付加が予想される。一層速いデータ伝送需要の増加によって、大部分の無線システム、特に、３ＧＰＰ（３ｒｄ  ｇｅｎｅｒａｔｉｏｎ  ｐａｒｔｎｅｒｓｈｉｐ  ｐｒｏｊｅｃｔ）、３ＧＰＰ２及びＤＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）基盤システムでは類似な潜在的な問題が発生する。
【００１６】
多重キャリアシステムでシグナリングオーバーヘッドを低減させることにより、バッテリー消耗を減少させることができる。すなわち、受信端で送信電力及び／または信号処理要件を減少させることにより、バッテリー消耗を減少させることができる。ここで、シグナリングオーバーヘッドは、例えば、ＡＴからＡＮに送信されたＣＱＩフィードバックになる。また、シグナリングオーバーヘッドの減少は干渉レベルを減少させて、システム容量を増加させる。
【００１７】
そのために、シグナリングオーバーヘッドの減少を２パート（ｐａｒｔ）で説明することができる。パート１では、ＡＮでスケジューリングされたＡＴへの共有共通シグナリングスキーム（ｓｃｈｅｍｅ）について説明する。パート２では、ＡＴリンクとのＡＮに対するＡＴでバッファーレベル情報について説明する。このように、本発明の実施例と関連された説明は、単一キャリアを具備した通信システムだけではなく多重キャリアを具備した通信システムにも適用することができる。
【００１８】
パート１において、ＡＮはデータパケットをスケジューリングされたＡＴに送信する。スケジューリングされたＡＴは、ＡＮから指定−特定データパケットを受信するＡＴになる。例えば、データパケットがＡＴ＃３に指定されると、ＡＮはこれらデータパケットを他のＡＴではないＡＴ＃３に伝送する。
【００１９】
スケジューリングされたＡＴに送信された各々のデータパケットにおいて、バッファーレベル情報は、データパケットに含まれるか添付される。言い換えると、ＡＮは多数のデータパケットの情報をスケジューリングされたＡＴに対してキュー（ｑｕｅｕｅ）として添付することができ、データパケットを具備したこの情報をスケジューリングされたＡＴに送信する。ここで、キューに配置されたデータパケットの数またはバッファーレベル情報は、ＡＮによりスケジューリングされたＡＴに送れる多数のデータパケットになる。また、バッファーレベル情報は、バッファー状態情報になる。
【００２０】
バッファーレベル／状態情報をＡＴに変換する方法は多い。具体的には、ＡＮからＡＴへのバッファーレベル情報の送信は単一ビットを利用して達成できる。単一ビットはスケジューリングされたＡＴが空いているか否かを示すインジケータとして利用することができる。空いているバッファーはスケジューリングされたＡＴに伝送されるデータパケットがないことを意味する。また、空かないバッファーはスケジューリングされたＡＴに送信される少なくとも一つのデータパケットが存在することを意味する。
【００２１】
バッファーレベル情報を示すための単一ビットは、データパケットまたは非アンカーキャリアに適用される最終パケットインジケータ（ＬＰＩ）になる。非アンカーキャリアはデータパケットを運ぶキャリアである。ＬＰＩはスケジューリングされたＡＴに送信された順方向リンク（ＦＬ）データパケットの各々に添付または付着することができる。例えば、ＬＰＩはバッファーの状態が空いているか否かを示すように‘０’または‘１’に表示できる。ここで、‘０’のＬＰＩ（すなわち、ＬＰＩ＝０）は、このような特定非アンカーキャリア上のスケジューリングされたＡＴに対してその以上のデータパケットがないことを示す。また、‘１’のＬＰＩ（すなわち、ＬＰＩ＝１）は、スケジューリングされたＡＴに対するこのような特定非アンカーキャリア上にパケットがさらにあることを示す。少なくとも２ビットを利用して、バッファーレベル量子化の粒子度（ｇｒａｎｕｌａｒｉｔｙ）は微細なまたは粗量子化を含むように一般化することができる。さらに、単一ビットを利用して、シグナリングオーバーヘッドは最小化することができる。
【００２２】
また、ＬＰＩは２以上のビットで表示できる。例えば、２ビットを使用する場合、これら２ビットは４個のバッファーレベル、すなわち、空の状態、空の状態〜１／４満たされた状態、１／４満たされた状態〜半分満たされた状態、または半分満たされた状態〜全て満たされた状態、を示することに利用できる。ここで、全部満たされた（ｆｕｌｌ）バッファー内のパケット数は起動時に構成及び決定できる。
【００２３】
また、ＡＮに対する送信電力を節減してセル間の干渉を減少させるために、ＬＰＩ情報は、ＯＮ−ＯＦＦキーイング（Ｋｅｙｉｎｇ）を利用して送信できる。例えば、‘ＯＮ’はＬＰＩ＝ＴＲＵＥ、‘ＯＦＦ’は  ＬＰＩ＝ＦＡＬＳＥを示す。
【００２４】
また、ＬＰＩで表示されるバッファーレベル情報はコマンド化することができる。例えば、単一ビットを利用すれば、ＬＰＩ＝０は、スケジューリングされたＡＴ及びＬＰＩが送信される特定キャリアに対するその以上のデータパケットがないので、スケジューリングされたＡＴにＣＱＩの送信中断または停止を命令する。
【００２５】
ＬＰＩを利用して、バッファーにその以上のデータパケットがないことをスケジューリングされたＡＴに通知するための単一ビットまたは多数ビットは、ＣＱＩ送信の非活性化または非アンカーキャリア上のＣＱＩレポートの指示として解釈することができる。ここで、非活性化は最小数のＦＬチャンネル（例えば、１）に対してＣＱＩを送信するようにＡＴに指示することができる。逆に、活性化は最大数の構成ＦＬチャンネル（例えば、１６個の可能チャンネルの中で３チャンネル）に対するＣＱＩを送信するようにＡＴに指示することができる。非アンカーキャリア上の最小数のＣＱＩ送信に関係なく、ＡＴはアンカーキャリア上で制御パケットのＣＱＩ送信を維持する。ＣＱＩ送信の活性化に関する詳細な説明は後述する。
【００２６】
パート２において、スケジューリングされたＡＴはＣＱＩをＡＮに伝送する。例えば、ＣＱＩはＡＴがスケジューリングされた場合、  ＡＮを助けてデータレート、レート制御及び他の機能を判定するように送信されたデータレート制御（ＤＲＣ：ｄａｔａ  ｒａｔｅ  ｃｏｎｔｒｏｌ）である。高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）と、データ及び音声用１ｘＥｖｏｌｕｔｉｏｎ（１ｘＥＶ−ＤＶ）環境で、ＣＱＩは、ＡＴにより測定される受信信号対雑音比（ＳＩＮＲ）を示す。
【００２７】
現在の１ｘＥＶ−ＤＯシステムで、ＣＱＩは、常に連続的またはゲート形式で送信される。パート２では必要時だけＣＱＩを送信する。上述のように、ＣＱＩはＦＬの条件上でＡＴからＡＮに情報を提供し、この情報にＤＲＣを含む。
【００２８】
必要時にだけＣＱＩまたはＤＲＣを送信するために、パート１のバッファーレベル情報が適用される。特に、スケジューリングされたＡＴは、ＡＮからスケジューリングされたＡＴに対してその以上のデータパケットがない（例えば、ＬＰＩ＝０）ことを示すバッファーレベル情報を受信した後、非アンカーキャリア上のＣＱＩをＡＮに伝送することを中断する。ここで、非アンカーキャリアはデータパケットを運ぶことに使用されるキャリアになり、アンカーキャリアは制御パケットを運ぶことに使用されるＮ個のキャリアの中で一つになる。また、アンカーキャリアは１次キャリアまたはアンカーＲＬキャリアになる。
【００２９】
上述のように、ＣＱＩまたはＤＲＣ報告は、すべての非アンカーキャリアに対して中断する必要はない。すなわち、ＤＲＣ報告は、特定数の非アンカーキャリアに対して活性化することができる。言い換えると、スケジューリングされたＡＴは、アンカーキャリア及び／または任意の非アンカーキャリア上のＣＱＩを続いて送信することができる。アンカーキャリアがＡＴに対して活性を維持することにより、ＡＴがＡＴに対する所定のＦＬパケット用の少なくとも一つのＦＬチャンネルを継続してモニタリングでき、また、非アンカーキャリアの活性化コマンドを続いて受信することができる。
【００３０】
より微細な量子化において、バッファーレベル情報は、ＡＴにより使用されて、ＣＱＩキャリアチャンネルの数を判定する。ここで、ＣＱＩキャリアフィードバックチャンネルの数は、ＡＴにより変動できる。すなわち、アンカーキャリアを利用すること以外に、非アンカーキャリアを使用することもできる。
【００３１】
ＡＮが、非アンカーキャリアを通じてＣＱＩ報告の中断に関するコマンドとして解釈可能な、ＡＴに対するその以上のパケットがないことを示す最終パケットをＬＰＩに伝送する時、ＡＮは、ＡＮの基地局制御（ＢＳＣ：Ｂｂａｓｅ  ｓｔａｔｉｏｎ  ｃｏｎｔｒｏｌ）に通知する必要があるので、ＢＳＣはＡＴ活性セット内のすべてのセクターに、活性セットの他のＢＴＳが非アンカーＣＱＩをその以上は受信できないと予想されると通知する。
【００３２】
動作時、ＡＴは、すべてのＬＰＩがすべての非アンカーキャリアから受信されるまで待機する。例えば、ＡＮからデータパケットの受信（すなわち、ＦＬ受信）中断または非活性化と、すべてのＲＬキャリア上のＡＮにＣＱＩを送信する前まで待機する。しかし、上述のように、ＦＬ／ＲＬアンカーキャリアが活性を維持することは重要である。すなわち、ＦＬキャリアに対するＣＱＩが、リバースリンク電力制御（ＲＰＣ：ｒｅｖｅｒｓｅ  ｌｉｎｋ  ｐｏｗｅｒ  ｃｏｎｔｒｏｌ）を含むフォーワードリンク制御チャンネルと、ＡＴに対するＲＬ自動繰り返し要請（ＡＲＱ：ａｕｔｏｍａｔｉｃ  ｒｅｐｅａｔ  ｒｅｑｕｅｓｔ）ＡＣＫチャンネル（運びＡＣＫまたはＮＡＣＫ）を電力制御する必要があるので、ＡＮにＣＱＩを報告することを断絶する必要はない。
【００３３】
すべてのＲＰＣ及び各ＲＬに対するＡＣＫチャンネルが単一キャリア‘ｘ’上で運ばれる場合、一つのＣＱＩだけが必要である。これは、他のキャリアに対するＣＱＩがターンオフできることを意味する。このように、他のキャリアがＣＱＩを利用してＲＰＣ電力レベル及びＡＣＫチャンネル電力レベルを電力制御する必要はない。ＲＰＣ及びＡＣＫチャンネルに対する詳細な説明は後述する。
【００３４】
ＦＬキャリアの数がＮであり、ＲＬキャリアの数がＭであると仮定する。各ＲＬに対するＲＰＣ及びＡＣＫチャンネルが分離されたＦＬキャリア上で運ばれてＮ＝Ｍの場合、全てのＣＱＩはターンオフされない。各ＲＬに対するＲＰＣ及びＡＣＫチャンネルが分離されたＦＬキャリア上で運ばれてＮ＞Ｍの場合、通常Ｎ個のＣＱＩが必要であり、Ｍ個のＲＰＣ及びＡＣＫチャンネルを電力制御する必要がある。ＣＱＩが報告しなければならないキャリアの最小数はＭである。各ＲＬに対するＲＰＣ及びＡＣＫチャンネルが分離されたＦＬキャリア上で運ばれてＮ＜Ｍの場合、すべてのＮ個のＦＬキャリアはＡＴに対するＲＬ  ＲＰＣ及びＡＲＱチャンネルを運んで、全てのＣＱＩはターンオフされない。ここで、ＣＱＩはＤＲＣであっても良い。
【００３５】
ＣＱＩ送信非活性化のためにＬＰＩを利用すること以外に、ＡＴは、ＣＱＩがＡＮに報告を続けるか否かを判定するためのタイマー機能を具現することができる。先に、タイマーは、すべてのＬＰＩが非アンカーキャリアに対して受信された後、ＣＱＩを継続して送信するか中断するかを判定するために使用することができる。これは明示的な（Ｅｘｐｌｉｃｉｔ）バッファーシグナリングになる。次に、タイマーは伝送された最終ＣＱＩまたは受信された最終パケットに基礎してＬＰＩを判定するために使用できる。これは非明示的（Ｉｍｐｌｉｃｉｔ）バッファーシグナリングになる。最後に、明示的及び非明示的バッファーシグナリングの組合せを具現することができる。
【００３６】
以下、明示的バッファーシグナリングについて説明する。ＬＰＩが特定キャリア上で受信される時、ＡＴは特定キャリアに対してオープンチャンネルを維持し、アンカーＲＬキャリアを利用してその特定キャリアのＣＱＩを継続してＡＮに提供する。タイマー機能を挿入することで、タイマー（または明示的タイマー）はすべてのＬＰＩが非アンカーキャリアに対して受信された後、特定持続時間の間ＡＴとＡＮとの間の通信持続を許容するように一体化することができる。すなわち、ＡＴで、タイマーはすべての非アンカーキャリアからＬＰＩが受信されるとき初期化できる。これはタイマーが終了された後ＣＱＩ送信の活性化を可能とする。例えば、タイマーは、４０ｍｓｅｃに設定でき、４０ｍｓｅｃの満了前にパケットが受信されないと、ＡＴは、その以上のスケジューリングされたパケットがないと判定して、ＣＱＩ報告を中断する。タイマーを構成及び具現することで、ＡＮの基地局制御（ＢＳＣ）とＡＮの送受信基地局（ＢＴＳ：ｂａｓｅ  ｔｒａｎｓｃｅｉｖｅｒ  ｓｔａｔｉｏｎ）の間の状態シグナリングは、ＡＴがこのような非活性化モードに進入する前に先に正確に同期化することができる。
【００３７】
また、非明示的バッファーシグノルリングウについて説明すれば、ＬＰＩは、２状態（例えば、空の状態及び空いていないバッファーレベル状態）のＬＰＩ指示で判定できる。データパケットが、構成可能な時間持続時間（例えば、２００ｍｓｅｃ）後にＡＴにより受信されない場合、ＡＴは、ＡＮにより伝送されるパケットがないと見なして、バッファーレベルが空いている（例えば、ＬＰＩが‘０’）と判定する。ここで、タイマー（または非明示的タイマー）は特定持続時間の間ＡＴにより構成される。同時に、ＡＮは、ＢＳＣとＢＴＳとの間の同期化状態を保障するように類似なタイマーを有することができる。
【００３８】
実際に、非明示的タイマーは、ＣＱＩをＡＮに伝送した後初期化することができる。一つ以上のＣＱＩがＡＮに伝送されると、タイマーは各ＣＱＩを伝送した後リセット及び再開する。また、タイマーはＡＮからパケットを受信した後開始することもできる。ＡＴが一つ以上のパケットを受信する場合、タイマーは連続的なパケットが受信される時リセット及び再開される。また、タイマーはＣＱＩを伝送した後またはパケットを受信した後、特定持続時間が満了した後に初期化することができる。これはタイマーの動作が多くの手段で構成できることを意味する。
【００３９】
次に、上述したタイマー機能（すなわち、明示的タイマー及び非明示的タイマー）は組み合わせて適用することができる。すなわち、明示的タイマーは、すべてのパケットが受信された後初期化でき、非明示的タイマーはＣＱＩを送信した後またはパケットを受信した後に初期化することができる。
【００４０】
多重キャリアシステムにおいて、ＡＮのＢＳＣはキャリアの一部にパケットを伝送することができ、すべてのキャリアを活用する必要はない。言い換えると、ＡＮはＮ個のキャリアからＭ個のキャリア上のパケットを伝送することができ、ここで、Ｍ＜Ｎである。例えば、ＡＮは４個のキャリアの中で３個だけにパケットを伝送することができる。このように、特定ＡＴに対する任意のパケットのないキャリアは、ＦＬパケットに付着されたインジケータであるＬＰＩをＡＴに伝送できない。したがって、ＡＴはＣＱＩが報告されないので、非明示的タイマーを初期化することができない。この場合、ＡＴ及びＡＮは非明示的シグナリングを使用するように設定できる。一方、パケットが特定キャリア上のＡＴに伝送される時、非明示的タイマーは無効（ｄｉｓａｂｌｅ）されて明示的タイマーが使われる。さらに、ＡＴで明示的タイマーはすべての活性キャリアからのすべてのＬＰＩが受信された後に初期化できる。タイマーが終了された後にＣＱＩ送信の非活性化が許容される。
【００４１】
ＡＮで、ＡＮのスケジューラは非明示的タイマーを認識して、タイマーの満了前に少なくとも一つのパケットをＡＴに伝送して非明示的シグナリングを期化するように制限される。
【００４２】
上述のように、ＡＮはＢＳＣとＢＴＳの間の同期化状態を保障するように類似なタイマーを具備することができる。図４は、ＢＳＣとＢＴＳとの間のラウンドトリップ（Ｒｏｕｎｄ  Ｔｒｉｐ）遅延により発生可能な問題を示す。ＡＴに対してその以上のパケットがないしタイマーが満了した時、非アンカーＦＬキャリアに対するすべてのＤＲＣ送信は断絶され、ＡＴは非アンカーキャリアのデータ部分のモニタリングを中止する。ＡＮで、ＢＴＳはＤＲＣ送信がＢＳＣで中止されるのでデータを非アンカーキャリアに伝送することを中止すると通知する。しかし、図４に示したように、ＢＳＣが、ＢＴＳからこの通知をまだ受信しなかったので新しいデータを非アンカーキャリアに送信したら、問題が発生する。このような時間オフセットまたはラウンドトリップ遅延を防止するために、ＢＴＳ−ＢＳＣタイマー値はＢＳＣとＢＴＳとの間のラウンドトリップ遅延より大きく構成できる。
【００４３】
上述のように、タイマー（例えば、明示的または非明示的タイマー）が初期化されて、構成された持続時間後に満了したら、ＡＴはＡＮでのＣＱＩ送信を中止する。このような状況で、ＡＴがＣＱＩ／ＤＲＣをその以上伝送しないので、ＡＴの状態は‘スリープ（ｓｌｅｅｐ）’状態になる。タイマーが満了する時、ＡＮのＢＴＳはＡＴにバッファリングパケットがない事実が分かる。このように、ＢＴＳはその自体でどんなＣＱＩまたはＤＲＣ（例えば、ＤＲＣ＿ｏｎ＝０）を受信するか予想できないように設定される。
【００４４】
しかし、スリープ状態で、ＢＴＳはＡＴに対するパケットを受信することができる。ＡＮからこれらパケットを受信するため、ＡＴはパケットを受信するためにスリープ状態を起動及び終了しなければならない。ＢＴＳがＡＴを起動する方法については詳細に後述する。タイマーは、スケジューリングされたＡＴがスケジューリングされたパケットの受信を完了した後に再開する。また、タイマーはＡＮから各パケットを受信した後再開することができる。
【００４５】
ＡＮがそのスリープ状態からＡＴを起動するため、起動インジケータ（ＷＵＩ：ｗａｋｅ−ｕｐ  ｉｎｄｉｃａｔｏｒ）または第１のパケットインジケータ（ＦＰＩ：ｆｉｒｓｔ  ｐａｃｋｅｔ  ｉｎｄｉｃａｔｏｒ）を設計することができ、ＣＱＩ送信を再開するようにＡＴに伝送される。上述のように、スリープモードはキャリア上で伝達するパケットがないのでＣＱＩの送信がないことを示す。しかし、ＡＴがスリープモードの間ＡＮによりパケットが送信される時、ＡＮは起動可能であるか、伝送パケットがあることをＡＴに通知することができる。このような通知はＷＵＩまたはＦＰＩにより行われる。
【００４６】
具体的には、ＡＮはＷＵＩを特定ＡＴに伝送する。ここで、ＷＵＩはアンカーキャリアまたは非アンカーキャリア上に伝送できる。上述のように、アンカーキャリアはいつも連結されるが、非アンカーキャリアはそうではない。しかし、ＷＵＩの伝達のために、ある一つのキャリアタイプが使用できる。
【００４７】
ＷＵＩを指示する方法として、ＬＰＩが使用できる。言い換えると、ＷＵＩのシグナリングは多様な方法で実行できる。先に、シグナリングはＬＰＩまたはＷＵＩを示す２状態ビットを利用して予想できる。例えば、‘０’ビットはＬＰＩを示すためた使用でき、‘１’ビットはＷＵＩを示すために使用できる。また、ＷＵＩをシグナリングするために分離ビットを使用することができる。ここで、ＬＰＩまたはＷＵＩを示すビットはターゲットＡＴのスケジューリングされたパケットに添付される。
【００４８】
特に、ＡＴがアンカーキャリア上でＬＰＩを受信する時、ＡＴはＬＰＩをＷＵＩとして解釈して、すべての非アンカーキャリア（ＤＲＣ＿ｏｎ＝１）上でＣＱＩ報告を続くように設定する。その後、ＡＴはすべての非アンカーキャリア上でＣＱＩ（またはＤＲＣ）の送信を続くことができる。同時に、ＡＮはすべての非アンカーキャリア上でＣＱＩ報告を受信するように（ＤＲＣ＿ｏｎ＝１）を設定する。
【００４９】
また、ＡＴに伝送するパケットがない限りＬＰＩは伝送できない。しかし、このような問題は実際には新しいパケットを送信する前にＡＴがＣＱＩを送信することを保障するため、マルチユーザーパケットフォーマットを利用してダミーパケット（Ｄｕｍｍｙ  Ｐａｃｋｅｔ）をＡＴに伝送して解決できる。マルチユーザーパケット（ＭＵＰ：ｍｕｌｔｉ−ｕｓｅｒ  ｐａｃｋｅｔ）フォーマットについて詳細に説明すれば、ＡＴは任意のまたはすべての非アンカーキャリア上でＣＱＩの送信を中止させても、すべての割り当てられたキャリア上でパイロット（ｐｉｌｏｔ）／ＭＡＣ部分を常にモニタリングする。非アンカーキャリア上でＬＰＩが添付されたダミーパケットを受信する時、ＡＴは、ダミーパケットを廃棄して、すべての非アンカーキャリア上でＣＱＩ報告を続くように設定する（ＤＲＣ＿ｏｎ＝１）。同時に、ＡＮはすべての非アンカーキャリア上でＣＱＩ報告を受信するように（ＤＲＣ＿ｏｎ＝１）を設定する。
【００５０】
また、ＬＰＩまたはＷＵＩはヌルレート（ｎｕｌｌ−ｒａｔｅ）パケットを通じて送信できる。このようなヌルレートパケットを通じた送信はシグナリングを目的とする。ＡＮはヌルレートパケットを利用して、ＡＴが起動してＣＱＩを送信し始めることを示す。また、ＡＮは分離された信号を利用して、ＡＴがＣＱＩ送信を活性化しなければならないことを示す。例えば、これはＡＴが活性化に設定される時、すべてのセクターから連続的または非連続的な送信の構成数を通じてＤＲＣ＿ＬＯＣＫ＿ＯＮ／ＯＦＦ信号を伝送することにより実行できる。
【００５１】
ＷＵＩ（またはＬＰＩ）が伝送される時、各キャリアは一部中央処理部を示すことができる。こもような中央処理部は、ＡＮのＢＳＣに対する接触ポイントとして作用できる。
【００５２】
また、ＡＮは活性インジケータ（ＡＣＴＩ：ａｃｔｉｖａｔｅ  ｉｎｄｉｃａｔｏｒ）をＡＴに伝送できる。ＡＣＴＩはアンカーキャリアに適用される。さらに、ＡＣＴＩは１ビットを利用して表示できる。例えば、ＡＣＴＩがアンカーキャリア上で‘１’で表示されたら（すなわち、ＡＣＴＩ＝１）、これは非アンカーキャリアが活性化または起動したことを示す。すなわち、ＡＮはＡＴにＡＴに対するデータパケットがないから非アンカーキャリアを活性化することを命令する。一方、ＡＣＴＩがアンカーキャリア上で‘０’で表示されたら（ＡＣＴＩ＝０）、これはＡＴに対するスケジューリングされたデータパケットがないから非活性化状態で残されることを示す。
【００５３】
ＣＱＩ（またはＤＲＣ）が報告中ではない時（例えば、ＤＲＣ＿ｏｎ＝０）、ＡＴに対するデータがＡＮのＢＴＳによりアンカーキャリアのバッファーに受信されると、ＢＴＳはＡＮのＢＳＣから指示を追従して、ＡＣＴＩ＝０を有するアンカーキャリア上のパケットを伝送するか、またはＡＣＴＩ＝１を有するアンカーキャリア上のパケットを伝送して、すべての非アンカーキャリアを活性化する。
【００５４】
また、ＣＱＩ（またはＤＲＣ）が報告中ではない時（例えば，  ＤＲＣ＿ｏｎ＝０）、ＡＴに対する新たに到着したデータがＢＴＳにより非アンカーキャリアのバッファーに受信されると、ＡＮはＣＱＩ／ＤＲＣが非アンカーキャリア上でずっと報告中である場合、非アンカーキャリア上でパケットを伝送しようと試みる。しかし、ＣＱＩ／ＤＲＣが非アンカーキャリアに対して報告されないでアンカーキャリアでバッファリングされたＡＴに対するパケットが存在する場合、ＡＮは、ＡＣＴＩ＝１を有するアンカーキャリア上でパケットを伝送して、すべての非アンカーキャリアを活性化する。ここで、初期に、すべてのアンカーＦＬキャリアにはＤＲＣが存在しないので、パケットをＡＴに送信することができない。ＡＴはアンカーキャリアのみを聞くことができる。アンカーキャリア上でＡＣＴＩ＝１を有するパケットをＡＴに伝送して、ＡＴは他の非アンカーキャリアに対するＤＲＣの報告を始める時間であうことを自覚する。その結果、ＡＮは非アンカーキャリア上でパケットの送信を始めることができる。
【００５５】
ＣＱＩ／ＤＲＣ報告の活性化が選択された場合、ＢＴＳはＡＴからＣＱＩ／ＤＲＣの受信を始めるように活性化を設定する。ＡＮのＢＴＳが活性化を設定して第１のパケットがＡＮにより送信された後、ＡＮはすべての非アンカー  ＦＬキャリアを、ＤＲＣＬｏｃｋ値が決定されるキャリアセットに付加することができる。ここで、ＤＲＣＬｏｃｋはＤＲＣの品質を示す。パケットを伝送を除外した、各々の非アンカーキャリアに対して、非明示的ＬＰＩとして作用するタイマーが開始される。ＡＮ内で、ＢＴＳはすべての非アンカーキャリア上にデータを受信する準備になっていることを通知するためにメッセージをＢＳＣに伝送する。ＡＮが非アンカーキャリア上でパケットを伝送した後、キャリア及びＡＴと連関された非明示的ＬＰＩタイマーは中止される。明示的ＬＰＩが使用される場合、タイマーは再開する必要がない。結局、非明示的ＬＰＩタイマーが活性でバッファリングされたＦＬパケットが存在したら、キャリアのスケジューラはタイマーが満了される前にパケットの中で一つをスケジューリングすることができる。
【００５６】
ＣＱＩ報告が非活性化される時、ＡＣＴＩ＝１を有する非アンカーキャリアまたはアンカーキャリア上で受信されると、ＡＴは、ＡＮにＣＱＩ／ＤＲＣ報告を始めるように構成できる。その後、ＡＴは、すべての非アンカーキャリアに対してＤＲＣ報告を開始し、同時に、非明示的ＬＰＩとして作用する各々の非アンカーキャリアに対するタイマーを開始することができる。このとき、ＡＮのＢＳＴ−ＢＳＣタイマーが活性である場合、タイマーはターンオフされる。
【００５７】
また、ＡＣＴＩは１以上のビットで表示できる。例えば、２ビットのＡＣＴＩは非アンカーキャリアの一部を活性化するために、ＡＴに通知するために使用することができる。例えば、２ビットのＡＣＴＩは、４レベルで表示され、このレベルの中で一つは非アンカーキャリアの半分を活性化するようにＡＴに命令することができ、他のレベルは非アンカーキャリアの４／３を活性化するようにＡＴに命令することができる。ＡＣＴＩを表示するために使われるビットの数を基礎で、ＡＮでＡＴへのコマンドはさらに特定できる。
【００５８】
以下、単一ユーザーパケット及びマルチユーザーパケットについて説明する。ＬＰＩ及びＡＣＴＩを同一なメカニズムを利用して伝送できるので、次の説明はＬＰＩを利用して説明する。
【００５９】
単一ユーザーパケットに関して、１２８の長さを有するワルシコード（Ｗａｌｓｈ  ｃｏｄｅ）は、ＡＴに対するＲＰＣ及びＲＬ  ＡＲＱチャンネルを運ばないキャリアに対してＬＰＩをＡＴに送信するように予備することができる。ここで、ワルシコードはＭＡＣ（ｍｅｄｉｕｍ  ａｃｃｅｓｓ  ｃｈａｎｎｅｌ）多重化（例えば、ＭＡＣインデックス６７、Ｗ１２８ ９７）に使われない。ＦＬパケットが伝送されてこのような特定キャリア上でＡＴに対してバッファリングされたデータがない時、ＬＰＩインジケータービットは、予備されたＭＡＣインデックスと連関されたワルシコードで覆われたキャリアのＲＰＣ／ＲＬ  ＡＲＱチャンネル上に伝送される。パケットが伝送されてキャリア上のＡＴに対するバッファーにデータがなくなった後、ＡＮはＡＴから非活性化ＣＱＩ／ＤＲＣ送信を設定することができる。例えば、ＡＮは、ＡＴからその以上のＣＱＩまたはＤＲＣ報告がないことを示すようにＤＲＣｏｆｆ＝１を設定することができる。ＡＴがＬＰＩを有するパケットを受信した後、ＡＴはＤＲＣｏｆｆ＝１を設定する。
【００６０】
マルチユーザーパケット（ＭＵＰ）で、ＡＮは、このようなＭＵＰ内の最終パケットを具備する、ＰａｃｋｅｔＩｎｆｏフィールド及びＡＴのＬｅｎｇｔｈフィールドをパケットヘッダー部の先頭に配置する。また、ＡＮはこのようなＭＵＰの多くの数のパケットを具備した、ＰａｃｋｅｔＩｎｆｏフィールド及びＡＴのＬｅｎｇｔｈフィールドをパケットヘッダー部の終端部に配置する。最終パケット及び多い数のパケットと連関されたフィールドは、予備ＭＡＣインデックスのＰａｃｋｅｔＩｎｆｏフィールド及びＬｅｎｇｔｈ（０）フィールドに分離される。Ｌｅｎｇｔｈ（０）フィールドは境界ポイントを示す。すなわち、ＡＴのＰａｃｋｅｔＩｎｆｏがＬｅｎｇｔｈ（０）フィールドの以前に位置する時、ＬＰＩが表示される。また、ＡＴのＰａｃｋｅｔＩｎｆｏがＬｅｎｇｔｈ（０）フィールドの以後に位置する時、これは伝送されるパケットがさらにあることを示してＬＰＩは表示されない。図５は、予備ＭＡＣインデックスのＰａｃｋｅｔＩｎｆｏフィールド及びＬｅｎｇｔｈ（０）フィールドを具備したマルチユーザーパケット（ＭＵＰ）の構成を示す。パケットには、多くのＡＴに対するＬＰＩを含むことができる。
【００６１】
図６は、ＭＵＰ内のＬＰＩに対する他の構成を示す。図６において、ビットマップはＭＵＰ内部のパケットが最終パケットであることを示すようにペイロード（ｐａｙｌｏａｄ）の末端部に添付される。このビットマップの位置は、ビットマップがパッドフィールドの一部であることをレガシー（ｌｅｇａｃｙ）ＡＴが信じるようにする。また、ＲＰＣ／ＲＬ  ＡＲＱチャンネル上で伝送された予備ＭＡＣインデックスによりカバーされるビットは、ＬＰＩマップがＭＵＰに含まれるか否かを示すために使用できる。
【００６２】
ＡＴが非アンカーキャリアに対するＣＱＩまたはＤＲＣの報告を中止する間、ＡＮが相変らず伝送されるパケットを有することは可能である。これは、例えばＬＰＩがパケットを有する最終キャリアに対して誤りに検出される時に発生する。この状況で、最終キャリアはパケットをＡＴに伝送する必要があるが、最終キャリアに対するＣＱＩはその以上は利用が不可能である。
【００６３】
ここで、ＡＴが非アンカーキャリアに対するＤＲＣ報告を中止するが（例えば、ＤＲＣ＿ｏｎ＝０）、ＡＮが伝送するパケットを有する場合（例えば、ＤＲＣ＿ｏｎ＝１）、ＡＮは、ＡＣＴＩ＝１を有するアンカーキャリア上でＡＴに伝送されるパケットを利用して、ＡＴが非アンカーキャリアに対するＤＲＣの報告を再開するとＡＴに通知する。
【００６４】
また、アンカーキャリア上のＤＲＣＬｏｃｋチャンネルは、前記状況を回避するために使用できる。ＡＴが特定週期（例えば、３連続報告）の間ＤＲＣＬｏｃｋを観察したら、ＡＴはすべての非アンカーＦＬキャリアに対するＤＲＣ（例えば、ＤＲＣ＿ｏｎ＝１）を報告するように設定できる。その後、  ＡＴはすべての非アンカーキャリアに対するＤＲＣの報告を開始することができる。
【００６５】
一方、ＡＴはＡＮが実際に伝送するパケットがない時、受信するパケットがあると継続見なす。これはＬＰＩが抜け落ちられた場合に可能である。ここで、通信システムは相変らず作用するが、ＡＴは非アンカーキャリアＤＲＣのゲイティング（Ｇａｔｉｎｇ）を減らすことができない。ＡＴによる誤訳を直すために、ＡＮは、図５及び図６に示したように、ＡＴ内のＰａｃｋｅｔＩｎｆｏフィールド及びＭＵＰ内で、０（Ｚｅｒｏ）の値を有するＬｅｎｇｔｈフィールドを含むことができ、パケットをＡＴに伝送することなくＬＰＩをシグナリングする。ここで、ＭＵＰは、他のＡＴを対象とするが、このような特定ＡＴをその受信者の中で一つとして含む。これはバックアップＬＰＩとして作用する。その後、ＡＴは通常の手続きを追従してＭＵＰが伝送されるキャリアに対するＤＲＣを断絶する。ＡＮにおいて、通常的に、ＡＮはＤＲＣＬｏｃｋを生成するためのアルゴリズムが存在するので、ＡＴがＤＲＣを送信するか否かが分かる。ここで、ＡＮは多くのスロット（すなわち、ＤＲＣＬｅｎｇｔｈ）に対するＤＲＣチャンネルエネルギーを蓄積して、ＡＴのＤＲＣチャンネル上で受信するエネルギー量を基礎で有効ＤＲＣが受信されるか否かを判定する。
【００６６】
上述のように、ＡＮは追従するパケットがないことを示すように最終パケットにＬＰＩを送信する。また、ＡＴは最終パケットを追従する逆方向リンク送信がないことをＡＮに通知するようにＲＬ  ＬＰＩを伝送することができる。この通知において、ＡＴは最終パケットが伝送された後、ヌルレートＲＲＩを同時に伝送する必要がない。このように、ＡＮはＲＲＩの以外にＲＬデータをデコーディングする必要がない。また、バッテリー電力はＡＴで保存できる。
【００６７】
上述のように、ＡＴには移動局、加入者移動局、端末機、モバイル端末機などがある。さらに、ＡＮにはノード、基地局、加入者基地局、ベース端末機、基地局端末機などがある。
【００６８】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００６９】
【図１】１ｘＥＶ−ＤＯのシステムアキテクチャーを示す図である。
【図２】１ｘＥＶ−ＤＯデフォルトプロトコルアキテクチャーを示す図である。
【図３】１ｘＥＶ−ＤＯ非デフォルトプロトコルアキテクチャーを示す図である。
【図４】ＢＳＣとＢＴＳとの間のラウンドトリップ（ｒｏｕｎｄ  ｔｒｉｐ）遅延により発生可能な問題を示す図である。
【図５】予備ＭＡＣインデックスのＰａｃｋｅｔＩｎｆｏフィールド及びＬｅｎｇｔｈ（０）フィールドを具備した多重ユーザーパケット（ＭＵＰ：Ｍｕｌｔｉ−Ｕｓｅｒ  Ｐａｃｋｅｔ）の構成を示す図である。
【図６】ＭＵＰ内のＬＰＩ用の他の構成を示す図である。
【図１】
2009509393.tif 000003
【図２】
2009509393.tif 000004
【図３】
2009509393.tif 000005
【図４】
2009509393.tif 000006
【図５】
2009509393.tif 000007
【図６】
2009509393.tif 000008
【国際調査報告】
2009509393.tif 000009
2009509393.tif 000010